(57)【要約】【課題】昇降ボタンの押下によって昇降部材を昇降自在とする機構を、部品点数の少ない簡易な構成で実現することにより、コスト削減が図られたプロジェクタの昇降機構を提供する。【解決手段】昇降ボタン３を押下することにより、昇降ボタン３の作動突起３ｃが回動部材６の作用片６ａを押動して回動部材６を回動させて、作動片６ｂと昇降部材１２の脚部１２ａの歯群６ｃ、１２ｃの噛み合いを解除し、昇降部材１２を昇降自在としてから昇降部材１２の足部１２ｂを突出させる。【選択図】図２
2008191556.tif 000002
【特許請求の範囲】
【請求項１】
下方に突出する作動突起を有し、ケースの上面に所定の垂直距離だけ上下動自在に設けられた昇降ボタンと、
略水平後方に延びて前記作動突起が上面先端部に当接する作用片、略垂直下方に延びて前面下端部とケースの前面との間に配置された圧縮バネにより後方に付勢される作動片、及び、該作動片の背面に上下方向に並んで設けられた歯群、を有し、ケースの内部に前後方向に回動自在に軸支された回動部材と、
ケースの底面前部に設けられた開口に挿通された角柱状の脚部、該脚部の下端に一体に形成されケースの底面の下方に突出可能な足部、及び、前記脚部の前面に上下方向に並んで設けられ前記回動部材の歯群と噛み合う歯群、を有し、前記作動片の後方に昇降自在に配設された昇降部材と、
を備え、
前記昇降ボタンを押下することにより、昇降ボタンの前記作動突起が回動部材の前記作用片を押動して前記回動部材を回動させて回動部材の前記作動片と昇降部材の前記脚部の歯群同士の噛み合いを解除し、前記昇降部材を昇降自在としてから昇降部材の前記足部を突出させることを特徴とするプロジェクタ。
【請求項２】
下方に突出する作動突起を有し、ケースの上面に所定の垂直距離だけ上下動自在に設けられた昇降ボタンと、
略水平後方に延びて前記作動突起が当接する作用片、略垂直下方に延びて後方に付勢される作動片、及び、該作動片の背面に上下方向に並んで設けられた歯群、を有し、ケースの内部に前後方向に回動自在に軸支された回動部材と、
ケースの底面前部に設けられた開口に挿通された角柱状の脚部、該脚部の下端に一体に形成されケースの底面の下方に突出可能な足部、及び、前記脚部の前面に上下方向に並んで設けられ前記回動部材の歯群と噛み合う歯群、を有し、前記作動片の後方に昇降自在に配設された昇降部材と、
を備え、
前記昇降ボタンを押下することにより、昇降ボタンの前記作動突起が回動部材の前記作用片を押動して前記回動部材を回動させて回動部材の前記作動片と昇降部材の前記脚部の歯群同士の噛み合いを解除し、前記昇降部材を昇降自在としてから昇降部材の前記足部を突出させることを特徴とするプロジェクタの昇降機構。
【請求項３】
回動部材の前記作用片の上面先端部に、昇降ボタンの前記作動突起を当接させたことを特徴とする請求項２に記載の
【請求項４】
回動部材の前記作動片の前面下端部とケースの前面との間に、圧縮バネが配置されたことを特徴とする請求項２又は３に記載のプロジェクタの昇降機構。
【請求項５】
ケースの上面に、前記回動部材の回動軸方向の移動を規制するリブを凸設したことを特徴とする請求項２又は３に記載のプロジェクタの昇降機構。
【請求項６】
ケースの底面に、昇降部材の前記足部を収納する座繰りを凹設したことを特徴とする請求項２〜５のいずれかに記載のプロジェクタの昇降機構。
【発明の詳細な説明】
【技術分野】
【０００１】
本発明は、机や床面において使用するプロジェクタの仰角を変更するための昇降機構及びそれを備えたプロジェクタに関するものである。
【背景技術】
【０００２】
従来のプロジェクタの昇降機構について図面を参照して説明する。
【０００３】
図４は、従来のプロジェクタのケース前部中央付近における、昇降部材の昇降動作がロックされた状態を示す側断面図である。プロジェクタ１０１のケース１０２の上面１０２ｂには、昇降ボタン１０３が所定の垂直距離だけ上下動自在に設けられている。昇降ボタン１０３は、テーブル状の操作部１０３ａがケース１０２の上面１０２ｂに設けた開口１０４から出没可能であり、操作部１０３ａの下端外縁よりも外側に張り出す台座部１０３ｂが、ケース１０２の上面１０２ｂに当接する位置を最上位、ケース１０２の上面１０２ａの内側に一体に形成された最下位規定リブ１０５に当接する位置を最下位として上下動される。
【０００４】
昇降ボタン１０３の下方には、棒状のロック解除部材１０６が、ケース１０２の前面１０２ａに一体に設けられたガイドレール１０７に、上下方向にスライド自在に配設されている。ロック解除部材１０６の上端には、後方に向けて作用片１０６ａが延設され、作用片１０６ａには、昇降ボタン１０３の台座部１０３ｂの底面に常時接触している。ロック解除部材１０６の下端には、前方に斜面を有する爪部１０６ｂが形成されている。
【０００５】
ロック解除部材１０６の下方には、上下に貫通する角穴１０８ａを有する角筒状のロック部材１０８が、ケース１０２の底面１０２ｃに一体に設けられたガイドリブ１０９によって左右方向（図４の紙面前後方向）の移動が規制された状態で、前後方向（図４の紙面左右方向）に移動可能に設けられている。ロック部材１０８の上面には、前方に斜面を有する作用溝１０８ｂが凹設され、作用溝１０８ｂの前方斜面に、ロック解除部材１０６の爪部１０６ｂの前方斜面が常時当接している。ロック部材１０８の角穴１０８ｂの前壁面には、上下方向に並ぶ歯群１０８ｃが形成されている。そして、ロック部材１０８の前面とケース１０２の前面１０２ａにそれぞれ凸設された突起１０８ｄ、１１０に、押縮させた圧縮バネ１１１を配置することにより、ロック部材１０８を後方に付勢している。
【０００６】
ロック解除部材１０６の後方には、ケース１０２の底面１０２ｃにガイドリブ１０９と共に一体に形成されたガイドレール１１３に、昇降部材１１２が、角柱状の脚部１１２ａにて上下方向にスライド自在（昇降自在）に配設されている。脚部１１２ａは、ロック部材１０８の角穴１０８ａとケース１０２の底面１０２ｃ前部に設けられた開口１１４に挿通され、下端に、ケース１０２の底面１０２ｃの下方に突出して机や床の面に当接する円板形の足部１１２ｂを一体に有している。足部１１２ｂは、昇降部材１１２が最上位にあるとき、開口１１４の周囲に座繰り状に形成された凹部１１５に嵌ることで、ケース１０２の底面１０２ｃに収まるようになっている。脚部１１２ａの前面には、上下方向に並ぶ歯群１１２ｃがほぼ全域に形成されている。歯群１１２ｃの一部は、ロック部材１０８が後方に付勢された状態でロック部材１０８の歯群１０８ｃと噛み合って、昇降部材１１２の昇降動作をロックする。
【０００７】
以上の構成で、図４に示すように、昇降ボタン１０３の操作部１０３ａが下方に押下されると、台座部１０３ｂがロック解除部材１０６の作用片１０６ａに作用してロック解除部材１０６を下方に押下げる。これにより、ロック解除部材１０６の爪部１０６ｂがロック部材１０８の作用溝１０８ｂに作用して、ロック部材１０８が付勢に抗して前方に押動される。この結果、図５に示すように、歯群１０８ｃ、１１２ｃの噛み合い（ロック）が解除され、昇降部材１１２が昇降自在となる。こうして昇降部材１１２を昇降させ、足部１１２ｂの突出量を適切に調節した後、昇降ボタン１０３を押下していた力を除くと、再び歯群１０８ｃ、１１２ｃが噛み合うため、昇降部材１１２はロックされる。以上の動作によってケース１０２の前部を必要な高さだけ底上げしながら、プロジェクタ１０１の仰角の調整を行うことができる。
【０００８】
なお、特許文献１〜３は、天井などに吊り下げられたプロジェクタを全体的に昇降させる技術に関するものであって、上記のような机や床面上に置いて使用するプロジェクタの仰角を変更するものではない。特許文献４は、上下動可能に設けられた螺子軸に噛合する噛合部材自体を後方へ押動する噛合解除操作によって脚高さを調節する技術が開示されているが、上記のような昇降ボタンを押下する下向きの力を、噛合部材（ストッパー）を前方へ動かす力に変換して噛合を解除するものものではない。特許文献５は、机や床面上に置いて使用するプロジェクタの仰角を変更する技術に関するものであるが、モータなどの駆動機構を利用しているため、昇降ボタンを押下する、上記のような手動式の昇降機構に関するものではない。
【特許文献１】実開平６−１０９４２号公報
【特許文献２】特開平９−２４７５９４号公報
【特許文献３】特開２００６−１２６６２５号公報
【特許文献４】特開平１０−２４８５号公報
【特許文献５】再公表特許ＷＯ２００３／１０４８９３号公報
【発明の開示】
【発明が解決しようとする課題】
【０００９】
上記の構成では、昇降ボタン１０３の押下によって昇降部材１１２を昇降自在とする機構を実現するために、ロック解除部材１０６及びロック部材１０８の２つの部品を介在させる必要があり、構成が複雑であるばかりでなく、部品点数が多くコストが高くなるという問題があった。
【００１０】
本発明は、上記従来の課題に鑑みてなされたものであり、昇降ボタンの押下によって昇降部材を昇降自在とする機構を、部品点数の少ない簡易な構成で実現することにより、コスト削減が図られたプロジェクタの昇降機構及びプロジェクタを提供することを目的とする。
【課題を解決するための手段】
【００１１】
上記目的を達成するために請求項１のプロジェクタは、下方に突出する作動突起を有し、ケースの上面に所定の垂直距離だけ上下動自在に設けられた昇降ボタンと、略水平後方に延びて前記作動突起が上面先端部に当接する作用片、略垂直下方に延びて前面下端部とケースの前面との間に配置された圧縮バネにより後方に付勢される作動片、及び、該作動片の背面に上下方向に並んで設けられた歯群、を有し、ケースの内部に前後方向に回動自在に軸支された回動部材と、ケースの底面前部に設けられた開口に挿通された角柱状の脚部、該脚部の下端に一体に形成されケースの底面の下方に突出可能な足部、及び、前記脚部の前面に上下方向に並んで設けられ前記回動部材の歯群と噛み合う歯群、を有し、前記作動片の後方に昇降自在に配設された昇降部材とを備え、前記昇降ボタンを押下することにより、昇降ボタンの前記作動突起が回動部材の前記作用片を押動して前記回動部材を回動させて回動部材の前記作動片と昇降部材の前記脚部の歯群同士の噛み合いを解除し、前記昇降部材を昇降自在としてから昇降部材の前記足部を突出させることを特徴としている。
【００１２】
また、請求項２のプロジェクタの昇降装置は、下方に突出する作動突起を有し、ケースの上面に所定の垂直距離だけ上下動自在に設けられた昇降ボタンと、略水平後方に延びて前記作動突起が当接する作用片、略垂直下方に延びて後方に付勢される作動片、及び、該作動片の背面に上下方向に並んで設けられた歯群、を有し、ケースの内部に前後方向に回動自在に軸支された回動部材と、ケースの底面前部に設けられた開口に挿通された角柱状の脚部、該脚部の下端に一体に形成されケースの底面の下方に突出可能な足部、及び、前記脚部の前面に上下方向に並んで設けられ前記回動部材の歯群と噛み合う歯群、を有し、前記作動片の後方に昇降自在に配設された昇降部材と、を備え、前記昇降ボタンを押下することにより、昇降ボタンの前記作動突起が回動部材の前記作用片を押動して前記回動部材を回動させて回動部材の前記作動片と昇降部材の前記脚部の歯群同士の噛み合いを解除し、前記昇降部材を昇降自在としてから昇降部材の前記足部を突出させることを特徴としている。
【００１３】
また、請求項３のプロジェクタの昇降装置は、請求項２に記載のプロジェクタの昇降装置において、回動部材の前記作用片の上面先端部に、昇降ボタンの前記作動突起を当接させたことを特徴としている。
【００１４】
また、請求項４のプロジェクタの昇降装置は、請求項２又は請求項３に記載のプロジェクタの昇降装置において、回動部材の前記作動片の前面下端部とケースの前面との間に、圧縮バネが配置されたことを特徴としている。
【００１５】
また、請求項５のプロジェクタの昇降装置は、請求項２〜４のいずれかに記載のプロジェクタの昇降装置において、ケースの上面に、前記回動部材の回動軸方向の移動を規制するリブを凸設したことを特徴としている。
【００１６】
また、請求項６のプロジェクタの昇降装置は、請求項２〜５のいずれかに記載のプロジェクタの昇降装置において、ケースの底面に、昇降部材の前記足部を収納する座繰りを凹設したことを特徴としている。
【発明の効果】
【００１７】
請求項１のプロジェクタによると、昇降ボタンの押下によって昇降部材を昇降自在とする機構を、回動部材を１つ介在させるだけで実現でき、ロック解除部材及びロック部材の２つの部品が必要であった従来の構成と比較して部品点数が少なく、コスト削減が図られる。つまり、回動部材が、従来のロック解除部材とロック部材の機能を兼ねることにより、構成の簡易化と部品点数の削減が図られる。
【００１８】
また、昇降ボタンの作動突起が、回動部材の作用片の、回動支点から遠い上面先端部に当接しているため、小さな力で昇降部材のロックを解除することができる。
【００１９】
さらに、圧縮バネが、回動部材の作動片の、回動支点から遠い前面下端部を付勢しているため、圧縮バネの付勢力を、昇降部材のロックに最大限働かせることができる。
【００２０】
請求項２のプロジェクタの昇降装置によると、昇降ボタンの押下によって昇降部材を昇降自在とする機構を、回動部材を１つ介在させるだけで実現でき、ロック解除部材及びロック部材の２つの部品が必要であった従来の構成と比較して部品点数が少なく、コスト削減が図られる。つまり、回動部材が、従来のロック解除部材とロック部材の機能を兼ねることにより、構成の簡易化と部品点数の削減が図られる。
【００２１】
請求項３のプロジェクタの昇降装置によると、回動支点から遠い、上面先端面に当接しているため、小さな力で昇降ボタンを押しても昇降部材のロックを解除することができる。
【００２２】
請求項４のプロジェクタの昇降装置によると、回動支点から遠い、前面下端部を付勢しているため、圧縮バネの付勢力を、昇降部材のロックに最大限働かせることができる。
【００２３】
請求項５のプロジェクタの昇降装置によると、ケースの上面に設けられたリブによって回動部材の回動軸方向の移動が規制されるため、回動部材と昇降部材の歯群の噛み合いを確実にすることできる。
【００２４】
請求項６のプロジェクタの昇降装置によると、昇降部材の足部がケースの底面に形成された座繰りに収納されると、昇降部材が外観から目立たなくなるため、プロジェクタの美感が向上する。
【発明を実施するための最良の形態】
【００２５】
本発明に係るプロジェクタの昇降機構の実施形態について図面を参照して説明する。
【００２６】
図１は、本発明が適用されるプロジェクタの外観を示す斜視図である。図１に示すように、プロジェクタ１は、机や床面などの設置面に該当するベースＢＳ上に置かれており、ケース２の前面２ａに投射口２ｈを備えている。ケース２の上面２ｂの前部略中央には、平面視で台形状をした後述する昇降ボタン３が配設されている。
【００２７】
ケース２の底面２ｃには、前面２ａ側に２つの支持部材１６が設けられ、背面側２ｃに２つの支持部材１７が設けられている。ケース２はこれらの支持部材１６、１７によって４点が支持されており、ベースＢＳとケース２の底面２ｃとの間には隙間が形成されるようになっている。
【００２８】
さらにプロジェクタ１は、ケース２の内部の前部略中央に、後述する昇降部材１２を有している。必要に応じてケース２を持ち上げて昇降ボタン３を押下することにより、後述する機構によって昇降部材１２は昇降自在となり、足部１２ｂをケース２の底面２ｃから突出させることができる。足部１２ｂを突出させてからケース２を再びベースＢＳ上に載置すれば、ケース２は後方の２つ支持部材１７と足部１２ｂとによって３点がベースＢＳ上に支持されることになり、前面２ａ側が相対的に高くなる、傾いた姿勢をとるため、プロジェクタ１の仰角を変更することができる。プロジェクタ１の仰角は、足部１２ｂの突出量によって適切な角度に調整することができる。
【００２９】
次に、本発明に係るプロジェクタの昇降機構を詳しく説明する。本発明のプロジェクタのケース前部中央付近における、昇降部材の昇降動作がロックされた状態を示す側断面図である。図２に示すように、プロジェクタ１のケース２の上面２ｂには、前述の昇降ボタン３が所定の垂直距離だけ上下動自在に設けられている。昇降ボタン３は、テーブル状の操作部３ａがケース２の上面２ｂに設けた開口４から出没可能であり、操作部３ａの下端外縁よりも外側に張り出す台座部３ｂが、ケース２の上面２ｂに当接する位置を最上位、ケース２の上面２ａの内側に一体に形成された最下位規定リブ５に当接する位置を最下位として上下動される。昇降ボタン３の台座部３ｂの底面には、左右方向（図２の紙面前後方向）に延びた板状の作動突起３ｃが一体に凸設されている。
【００３０】
ケース２の内部の昇降ボタン３の下方には、互いに直交する方向に延びる作用片６ａ及び作動片６ｂを備えたＬ字型の回動部材６が、回動支点６ｄを中心として前後方向（図２の紙面左右方向）に回動自在に配設されている。略水平後方に延びる作用片６ａの上面先端部には、昇降ボタン３ｃの作動突起３ｃが常時当接している。略垂直下方に延びる作動片６ｂは、その前面下端部とケース２の前面２ａ（に凸設された突起１０）との間に配置された、押縮された圧縮バネ１１により後方に付勢されている。作動片６ｂの背面には、上下方向に並んで歯群６ｃが設けられている。ケース２の上面２ａには、回動部材６の回動軸方向（図２の紙面前後方向）の移動を規制するために、回動部材６の作用片６ｂを、回動支点６ｄを外した位置で左右から位置決めするリブ（不図示）が凸設されている。
【００３１】
昇降ボタン３の作動片の後方には、ケース２の底面２ｃに一体に形成されたガイドレール１３に、昇降部材１２が、角柱状の脚部１２ａにて上下方向にスライド自在（昇降自在）に配設されている。脚部１２ａは、ケース２の底面２ｃ前部に設けられた開口１４に挿通され、下端に、ケース２の底面２ｃの下方に突出して机や床の面に当接する円板形の足部１２ｂを一体に有している。足部１２ｂは、昇降部材１２が最上位にあるとき、開口１４の周囲に座繰り状に形成された凹部１５に嵌ることで、ケース２の底面２ｃに収まるようになっている。脚部１２ａの前面には、上下方向に並ぶ歯群１２ｃがほぼ全域に形成されている。歯群１２ｃの一部又は全部は、回動部材６の作動片６ｂが後方に付勢された状態で歯群６ｃと噛み合って、昇降部材１２の昇降動作をロックする。
【００３２】
次に、上記の構成を備えた昇降機構の動作について説明する。図２に示すように、昇降ボタン３の操作部３ａが下方に押下されると、作動突起３ｃが回動部材６の作用片６ａに作用して作用片６ａを押下げ、回動部材６が回動し、作動片６ｂが前方に移動する。これにより、図３に示すように、歯群６ｃ、１２ｃの噛み合い（ロック）が解除され、昇降部材１２が昇降自在となる。こうして昇降部材１２を昇降させ、足部１２ｂの突出量を適切に調節した後、昇降ボタン３を押下していた力を除くと、再び歯群６ｃ、１２ｃが噛み合うため、昇降部材１２はロックされる。以上の動作によってケース２の前部を必要な高さだけ底上げしながら、プロジェクタ１の投影方向の仰角の調整を行うことができる。
【００３３】
上記の実施形態によると、昇降ボタン３の押下によって昇降部材１２を昇降自在とする機構を、回動部材６を１つ介在させるだけで実現でき、ロック解除部材１０６及びロック部材１０８の２つの部品が必要であった従来の構成（図５参照）と比較して部品点数が少なく、コスト削減が図られる。つまり、回動部材６が、従来のロック解除部材１０６とロック部材１０８の機能を兼ねることにより、構成の簡易化と部品点数の削減が図られる。
【００３４】
本発明は、上記の実施形態には限定されず、種々の変形を加えて実施することができる。例えば、昇降部材の足部の底面に、緩衝材を設けたり、丸い突起を凸設したりしてもよい。してもよい。このようにすれば、プロジェクタの仰角が上昇して、足部の底面の角度がベースの面から大きく傾いたとしても、プロジェクタの自重により足部に掛かる負荷が軽減されるとともに、ベース上に３点で支持されたケースの安定性が向上する。また、上記の実施形態では、昇降部材のロックを、回動部材と昇降部材に設けた歯群の噛み合いを用いて行っているが、これに限らず、例えば、回動部材に凸部を１箇所設け、昇降部材に凸部が嵌る凹部を上下方向に並んで複数設けておき、凸部といずれかの凹部の嵌合させるようにしたり、昇降部材の凹部を凸部に換えて凸部同士を係合させるようにしてもよい。
【産業上の利用可能性】
【００３５】
本発明は、机や床面に置いて使用されるプロジェクタに利用することができる。
【図面の簡単な説明】
【００３６】
【図１】は、本発明が適用されるプロジェクタの外観を示す斜視図である。
【図２】は、本発明のプロジェクタのケース前部中央付近における、昇降部材の昇降動作がロックされた状態を示す側断面図である。
【図３】は、本発明のプロジェクタのケース前部中央付近における、昇降ボタンを押して昇降部材の昇降自在にした状態を示す側断面図である。
【図４】は、従来のプロジェクタのケース前部中央付近における、昇降部材の昇降動作がロックされた状態を示す側断面図である。
【図５】は、従来のプロジェクタのケース前部中央付近における、昇降ボタンを押して昇降部材の昇降自在にした状態を示す側断面図である。
【符号の説明】
【００３７】
１    プロジェクタ
２    ケース
２ａ  ケースの前面
２ｂ  ケースの上面
２ｃ  ケースの底面
３    昇降ボタン
６    回動部材
６ａ  作用片
６ｂ  作動片
１１  圧縮バネ
１２  昇降部材
１２ａ  脚部
１２ｂ  足部
【図１】
2008191556.tif 000003
【図２】
2008191556.tif 000004
【図３】
2008191556.tif 000005
【図４】
2008191556.tif 000006
【図５】
2008191556.tif 000007